(57)【特許請求の範囲】
【請求項１】
上下に対向して設けられたベースヨーク、該ベースヨークを周縁で支える２本の柱からなる柱ヨーク、及び、上側の該ベースヨークの上側又は下側の該ベースヨークの下側であって該柱ヨークからの投影面を含む領域に設けられた補助プレートヨークを有するヨーク手段と、前記上下のベースヨークの対向面にそれぞれ対向して設けられた永久磁石とを備えたＭＲＩ装置が撮影室の内に配置され、
前記ＭＲＩ装置を操作するオペレータコンソールが前記撮影室の外に配置されており、
前記オペレータコンソール付近にいるオペレータが前記撮影室の窓を介して前記ＭＲＩ装置の磁場中心付近を見ることができるように、前記ＭＲＩ装置及び前記オペレータコンソールが配置されていることを特徴とするＭＲＩシステム。
【発明の詳細な説明】
【０００１】
【産業上の利用分野】
この発明は、ＭＲＩシステムに関し、さらに詳しくは、マグネットアセンブリ内の患者をマグネットアセンブリの外から直視可能なＭＲＩシステムに関する。
【０００２】
【従来の技術】
図７は、従来のＭＲＩ装置のマグネットアセンブリの一例の外観斜視図である。
このマグネットアセンブリ７１は、下側のベースヨークカバー７２ａと柱ヨークカバー７３ａ，７３ｂと上側のベースヨークカバー７２ｂとからなるエンクロージャに囲まれて、筒状に構成されている。なお、エンクロージャでの覆いは、マグネットアセンブリの断熱対策などのために行なわれる。
また、Ａは、台Ｂと寝台スライド部Ｃとからなるテーブルである。テーブルＡ上に乗せられた患者は、寝台スライド部Ｂを移動させることにより、前記ＭＲＩ装置のマグネットアセンブリ７１の筒の中に入る。
【０００３】
図８は、上記マグネットアセンブリ７１の磁気回路構成部分の斜視図であり、また、図９はその正面図、図１０はその上面図である。
下側のベースヨーク２２ａと上側のベースヨーク２２ｂとを４本の柱ヨーク８３ａ，８３ｂ，８３ｃ，８３ｄで支えるように接続している。また、上下ベースヨークの対向面にそれぞれ永久磁石２８ａ，２８ｂを固設し、その永久磁石２８ａ，２８ｂの対向面にそれぞれ整磁板２９ａ，２９ｂを固設している。
【０００４】
【発明が解決しようとする課題】
上記従来のＭＲＩ装置のマグネットアセンブリ７１では、柱ヨークが４本あり、そのうち柱ヨーク８３ａ，８３ｂを柱ヨークカバー７３ａで、また、柱ヨーク８３ｃ，８３ｄを柱ヨークカバー７３ｂで覆っている。
このため、オペレータは、マグネットアセンブリ内にいる患者を、マグネットアセンブリ外から直視しずらい問題点がある。また、ポジショニング，患者固定などを行ないにくい問題点がある。さらに、閉じ込められているような不安な感じを患者が持つ問題点がある。
そこで、この発明の目的は、ポジショニングなどを容易に行なえ、不安感を患者に与えないとともに、マグネットアセンブリ内の患者をマグネットアセンブリ外から直視することができるＭＲＩシステムを提供することにある。
【０００５】
【課題を解決するための手段】
この発明のＭＲＩシステムは、上下に対向して設けられたベースヨーク、及び、該ベースヨークを周縁で支える２本の柱からなる柱ヨークを有するヨーク手段と、前記上下のベースヨークの対向面にそれぞれ対向して設けられた永久磁石とを備えたＭＲＩ装置が撮影室の内に配置され、前記ＭＲＩ装置を操作するオペレータコンソールが前記撮影室の外に配置されており、  前記オペレータコンソール付近にいるオペレータが前記撮影室の窓を介して前記ＭＲＩ装置の磁場中心付近を見ることができるように、前記ＭＲＩ装置及び前記オペレータコンソールが配置されていることを特徴とするものである。
上記構成において、２本の柱ヨークを四角柱とするのが好ましい。また、上側のベースヨークに補助プレートヨークを取り付けるのが好ましい。
【０００６】
この発明のＭＲＩシステムでは、ベースヨークを周縁で支える柱ヨークは、磁場中心に対称な位置に設けた２本の柱のみからなる。
このため、エンクロージャの柱ヨークカバーが囲む側面の部分が少なくすることができ、側面の死角を少なくし、視野を広げることが出来る。また、ポジショニング，患者固定などを行ない易くなる。さらに、患者に不安感を与えなくなる。
また、２本の柱ヨークを四角柱とすると、円柱や楕円柱とするよりもマグネットアセンブリの外形を小さくすることが出来る。さらに、ベースヨークに補助プレートヨークを取り付けると、ヨーク全体を厚くして必要な中心磁界を得るよりもマグネットアセンブリの重量を軽くすることが出来る。
【０００７】
【発明の実施の形態】
以下、図に示す実施例によりこの発明をさらに詳細に説明する。なお、これによりこの発明が限定されるものではない。
図１は、この発明の一実施例のＭＲＩ装置のマグネットアセンブリを示す外観斜視図である。
このマグネットアセンブリ１は、下側のベースヨークカバー２ａと柱ヨークカバー３ａ，３ｂと上側のベースヨークカバー２ｂとからなるエンクロージャに囲まれて、筒状に構成されている。なお、エンクロージャでの覆いは、マグネットアセンブリの断熱対策などのために行なわれる。
また、Ａは、台Ｂと寝台スライド部Ｃとからなるテーブルである。テーブルＡ上に乗せられた患者は、寝台スライド部Ｂを移動させることにより、前記ＭＲＩ装置のマグネットアセンブリ１の筒の中に入る。
【０００８】
図２は、上記マグネットアセンブリ１の磁気回路構成部分の斜視図であり、また、図３はその上面図、図４はその正面図である。
下側のベースヨーク２２ａと上側のベースヨーク２２ｂとを２本の四角柱の柱ヨーク２３ａ，２３ｂで支えるように接続している。また、上下ベースヨークの対向面にそれぞれ永久磁石２８ａ，２８ｂを固設し、その永久磁石２８ａ，２８ｂの対向面にそれぞれ整磁板２９ａ，２９ｂを固設している。
【０００９】
２７ａ，２７ｂは、ベースヨーク２２ｂの上面の柱ヨーク２３ａ，柱ヨーク２３ｂ付近に取付けた補助プレートヨークである。２７ｃ，２７ｄは、ベースヨーク２２ａの下面の柱ヨーク２３ａ，柱ヨーク２３ｂ付近に取付けた補助プレートヨークである。これら各補助プレートヨーク２７ａ，２７ｂ，２７ｃ，２７ｄを、磁束の集中する各柱ヨーク付近に取付けることにより、ヨーク全体を厚くしなくても、中心磁界の磁界強度を上げることが出来る。
以上のマグネットアセンブリ１によれば、マグネットアセンブリ１外からマグネットアセンブリ１内の患者を直接観察することが出来る。また、ポジショニング，患者固定などを行ない易くなる。さらに、患者に不安感を与えなくなる。患者も医師を見ることが出来るので、安心する。
【００１０】
図５に、上記マグネットアセンブリ１の撮影室への配置例を示す。
Ｄは、ＭＲユニットである。Ｅは、ペネトレーション・パネルである。Ｆは、オペレータコンソールである。Ｇは、窓である。Ｈは、マルチフォーマットカメラである。Ｉは、ドアである。Ｊは、撮影室である。
この配置例では、マグネットアセンブリ１とテーブルＡとで構成されるユニットを、オペレータコンソールＦ，窓Ｇなどに対して平行に配置している。
また、マグネットアセンブリ１の柱ヨークカバー３ｂを、オペレータコンソールＦ側から見て右側に配置しているので、その左側に空間ができる。
以上の構成の配置例では、マグネットアセンブリ１の中の患者をマグネットアセンブリ１の側面から直視できる。
【００１１】
図６に、上記マグネットアセンブリ１の撮影室への別の配置例を示す。なお、図５と同様のものには、同じ符号をつける。
この配置例では、マグネットアセンブリ１とテーブルＡとで構成されるユニットを、オペレータコンソールＦ，窓Ｇなどに対して斜めに配置している。
また、マグネットアセンブリ１の柱ヨークカバー３ａを、オペレータコンソールＦ側から見て右側に配置しているので、その左側に空間ができる。
以上の構成の配置例では、マグネットアセンブリ１の中の患者をマグネットアセンブリ１の斜め側面から直視できる。
【００１２】
【発明の効果】
この発明のＭＲＩシステムによれば、マグネットアセンブリ内の患者を外から容易に直視できる。また、患者をマグネットアセンブリにセッティングし易くなる。さらに、マグネットアセンブリ内にいる患者に、開放感，安心感を与えることが出来る。
【図面の簡単な説明】
【図１】この発明の一実施例のＭＲＩ装置のマグネットアセンブリを示す外観斜視図である。
【図２】図１のマグネットアセンブリの磁気回路構成部分の斜視図である。
【図３】図１のマグネットアセンブリの磁気回路構成部分の上面図である。
【図４】図１のマグネットアセンブリの磁気回路構成部分の正面図である。
【図５】図１のマグネットアセンブリの配置の例示図である。
【図６】図１のマグネットアセンブリの配置の別の例示図である。
【図７】従来のＭＲＩ装置のマグネットアセンブリを示す外観斜視図である。
【図８】図７のマグネットアセンブリの磁気回路構成部分の斜視図である。
【図９】図７のマグネットアセンブリの磁気回路構成部分の正面図である。
【図１０】図７のマグネットアセンブリの磁気回路構成部分の上面図である。
【符号の説明】
１                                  マグネットアセンブリ
２ａ                                下側のベースヨークカバー
２ｂ                                上側のベースヨークカバー
３ａ                                柱ヨークカバー
３ｂ                                柱ヨークカバー
２２ａ                              下側のベースヨーク
２２ｂ                              上側のベースヨーク
２３ａ，２３ｂ                      柱ヨーク
２７ａ，２７ｂ，２７ｃ，２７ｄ      補助プレートヨーク
２８ａ，２８ｂ                      永久磁石
２９ａ，２９ｂ                      整磁板
【図１】
0003594948.tif 000002
【図２】
0003594948.tif 000003
【図３】
0003594948.tif 000004
【図４】
0003594948.tif 000005
【図５】
0003594948.tif 000006
【図６】
0003594948.tif 000007
【図７】
0003594948.tif 000008
【図８】
0003594948.tif 000009
【図９】
0003594948.tif 000010
【図１０】
0003594948.tif 000011